(57)【要約】  本願は、内壁面に設けられている吸気口に対し、当該吸気口に標準装備されているフィルタより厚手のフィルタであっても取り付け可能にする技術を提供することを課題とする。本発明は、吸気口用フィルタであって、建物の内壁面に設置されている吸気口の内部に嵌る大きさの外形を有しており、吸気口に標準装備されるフィルタよりも厚いフィルタ本体と、フィルタ本体に形成されており、吸気口内に設けられている支柱に対応する部位を切り欠いた切り欠き部と、を備える。
2020044490.tif 000002
【特許請求の範囲】
【請求項１】
建物の内壁面に設置されている吸気口の内部に嵌る大きさの外形を有しており、前記吸気口に標準装備されるフィルタよりも厚いフィルタ本体と、
前記フィルタ本体に形成されており、前記吸気口内に設けられている支柱に対応する部位を切り欠いた切り欠き部と、を備える、
吸気口用フィルタ。
【請求項２】
前記フィルタ本体は、ハニカム構造のフィルタである、
請求項１に記載の吸気口用フィルタ。
【請求項３】
前記切り欠き部は、前記吸気口の内面から前記吸気口の中心部へ向かって突出形成されている前記支柱に対応する部位を切り欠いた部分である、
請求項１または２に記載の吸気口用フィルタ。
【請求項４】
前記フィルタ本体は、円柱状の外形を有しており、
前記切り欠き部は、前記吸気口の内周面から前記吸気口の中心部へ向かって突出形成される前記支柱に対応する部位を切り欠いた部分である、
請求項１から３の何れか一項に記載の吸気口用フィルタ。
【請求項５】
前記切り欠き部は、複数の前記支柱に対応する部位を切り欠いた部分であり、
前記フィルタ本体は、複数の前記支柱に対応する部位が前記切り欠き部で切り欠かれることにより、複数個に分割された形態となっている、
請求項１から４の何れか一項に記載の吸気口用フィルタ。
【発明の詳細な説明】
【技術分野】
【０００１】
本願は、吸気口用フィルタを開示する。
【背景技術】
【０００２】
近年、ビルや店舗、病院、家屋等の各種建物は、各種の省エネルギー基準が定められており、それらの基準を満たすために気密性や断熱性が向上の一途を辿っている。そして、気密性の向上に伴い、停止を予定していない２４時間換気システムの設置が義務化され、近年の建物には吸排気口が標準装備されている。【０００３】
建物の吸気口は、通常、外壁を貫通する形態となっている。そして、吸気口の外壁面側には、雨水の浸入を防ぐフードが設置される。しかし、例えば、台風の接近等に伴う暴風雨時にはフードを通って吸気口内に雨水が浸入する可能性があるため、吸気口の内壁面側には、通常、開閉式の蓋が設けられる。また、外気には、暴風時に舞い上がる砂塵、蚊や蠅等の虫が含まれていることがあるため、通常、吸気口の内壁面側にはフィルタが設けられる。吸気口の内壁面側に設けられる開閉式の蓋とフィルタは、通常、換気システム用の一部品として構成されており、建物の壁面を貫通するように設置された塩ビ管等の管の開口部分に嵌め込まれる。【０００４】
吸気口の内壁面側に取り付けられるこのような部品は、通常、建物の壁面を貫通するように設置された塩ビ管等の管の開口部分に嵌る筒状の部位と、当該筒状の部位の縁に設けられるフランジ状の部位と、当該フランジ状の部位に対して密着したり離間したりすることが可能な可動式の蓋とを有している。そして、蓋は、蓋によって開閉される開口の中央部に棒状あるいは板状の支柱で固定された可動機構に取り付けられる。可動機構は、押圧操作によって蓋の位置を前後に調整できる機構であり、平常時には蓋を開いた状態で保持し、暴風雨時には蓋を閉じた状態で保持する。通常はフィルタが蓋と支柱との間の部分に取り付けられているため、蓋は、フィルタの交換時に取り外すことができるように、可動機構に対して着脱自在に取り付けられている。
【先行技術文献】
【特許文献】
【０００５】
【特許文献１】特開平１０−０４７７４９号公報
【発明の概要】
【発明が解決しようとする課題】
【０００６】
吸気口の内壁面側に取り付けられる部品は、上記したように、フィルタが蓋と支柱との間の部分に取り付けられる形態となっている。よって、当該部品が薄板状のフィルタを標準装備として取り付ける前提で設計されている場合、フィルタを高性能な厚手のものに取り替えようとしても、フィルタが蓋や支柱に干渉してしまい、取り替えることができない。しかし、吸気口の内壁面側に取り付けられる部品は建物を建築する際に内壁面へ固定されるものなので、取り付けるフィルタを変更する目的で部品自体を変更することは難しい。【０００７】
そこで、本願は、内壁面に設けられている吸気口に対し、当該吸気口に標準装備されているフィルタより厚手のフィルタであっても取り付け可能にする技術を提供することを課題とする。
【課題を解決するための手段】
【０００８】
上記課題を解決するため、本発明では、吸気口内に設けられている支柱に対応する部位に切り欠きを設けることにした。【０００９】
詳細には、本発明は、吸気口用フィルタであって、建物の内壁面に設置されている吸気口の内部に嵌る大きさの外形を有しており、吸気口に標準装備されるフィルタよりも厚いフィルタ本体と、フィルタ本体に形成されており、吸気口内に設けられている支柱に対応する部位を切り欠いた切り欠き部と、を備える。【００１０】
上記の吸気口用フィルタであれば、吸気口の内部に嵌る外形を有しており、且つ、吸気口内に設けられている支柱に対応する部位を切り欠いた切り欠き部が設けられているため、吸気口に標準装備されているフィルタより厚いものであっても、吸気口が設けられている壁の審美性を損なうことなく取り付け可能である。【００１１】
なお、フィルタ本体は、ハニカム構造のフィルタであってもよい。ハニカム構造のフィルタであれば、フィルタの有効面積が広いため、吸気口に標準装備されているフィルタより厚いものを、標準装備のフィルタが取り付けられていた吸気口に取り付けても通気量の低下を抑制することができる。【００１２】
また、切り欠き部は、吸気口の内面から吸気口の中心部へ向かって突出形成されている支柱に対応する部位を切り欠いた部分であってもよい。吸気口の内面にこのような支柱があっても、切り欠き部がこの支柱に対応する部位を切り欠くものであれば、吸気口用フィルタを当該吸気口に取り付けることができる。【００１３】
また、フィルタ本体は、円柱状の外形を有しており、切り欠き部は、吸気口の内周面から吸気口の中心部へ向かって突出形成される支柱に対応する部位を切り欠いた部分であってもよい。一般的に、吸気口は円形であることが多いが、フィルタ本体が円柱状の外形を有しており、切り欠き部が吸気口の内周面から吸気口の中心部へ向かって突出形成される支柱に対応する部位を切り欠く吸気口用フィルタであれば、このような円形の吸気口に取り付けることができる。【００１４】
また、切り欠き部は、複数の支柱に対応する部位を切り欠いた部分であり、フィルタ本体は、複数の支柱に対応する部位が切り欠き部で切り欠かれることにより、複数個に分割された形態となっていてもよい。このような形態の吸気口用フィルタであれば、吸気口内に設けられている支柱と蓋との間の隙間が極めて狭い場合であっても、吸気口に取り付けることが可能である。
【発明の効果】
【００１５】
本発明によれば、内壁面に設けられている吸気口に対し、当該吸気口に標準装備されているフィルタより厚手のフィルタであっても取り付け可能である。
【図面の簡単な説明】
【００１６】
【図１】図１は、実施形態に係る吸気口用フィルタの外観を示した斜視図である。
【図２】図２は、建物の内壁面に設置される吸気口部品の一例を示した図である。
【図３】図３は、吸気口用フィルタを吸気口部品に取り付ける様子を示した図である。
【図４】図４は、吸気口用フィルタが吸気口部品に取り付けられた状態を示した図である。
【図５】図５は、吸気口用フィルタの変形例を示した図である。
【図６】図６は、吸気口用フィルタの製造方法の一例を示した図である。
【発明を実施するための形態】
【００１７】
以下、本発明の実施形態について説明する。以下に示す実施形態は、本発明の一形態であり、本発明の技術的範囲を下記の実施形態に限定するものではない。
【００１８】
図１は、実施形態に係る吸気口用フィルタの外観を示した斜視図である。吸気口用フィルタ１は、ハニカム構造のフィルタであり、図１に示されるように、円柱状の外形を４個に分割したような形態となっている。よって、吸気口用フィルタ１は、扇形の端面を有する４個のフィルタ本体２で構成されている。
【００１９】
吸気口用フィルタ１は、建物の内壁面に設置されている吸気口の内部に嵌る大きさの外形を有しており、吸気口に標準装備されるフィルタよりも厚い。そして、吸気口用フィルタ１は、円柱状の外形において円形の端面に相当する部位にハニカム構造特有の多孔部分が露出する形態となっている。また、吸気口用フィルタ１には、吸気口内に設けられている支柱に対応する部位を切り欠く切り欠き３が設けられている。
【００２０】
図２は、建物の内壁面に設置される吸気口部品の一例を示した図である。吸気口部品１００は、図２に示されるように、建物の壁面を貫通するように設置された塩ビ管等の管の開口部分に嵌る筒状部１０１と、筒状部１０１の縁に設けられる角型のフランジ部１０２と、フランジ部１０２に対して密着したり離間したりすることが可能な可動式の蓋１０３とを有している。そして、蓋１０３は、蓋１０３によって開閉される開口１０４の中央部に板状の支柱１０５で固定された可動機構１０６に取り付けられる。可動機構１０６は、押圧操作によって蓋１０３の位置を前後に調整できる機構であり、平常時には蓋１０３を開いた状態で保持し、暴風雨時には蓋１０３を閉じた状態で保持する。通常は吸気口部品１００に標準装備の薄いフィルタ１０７が蓋１０３と支柱１０５との間の部分に取り付けられているため、蓋１０３は、フィルタ１０７の交換時に取り外すことができるように、可動機構１０６に対して着脱自在に取り付けられている。
【００２１】
蓋１０３は、開口１０４を閉鎖した図２（Ａ）の状態で蓋１０３の中心部が押圧されると、可動機構１０６が動いて図２（Ｂ）のように手前に移動し、開口１０４を開いた状態にする。蓋１０３は、開口１０４を開いた状態で上方向に動かすと、図２（Ｃ）に示すように可動機構１０６から外れる。蓋１０３が可動機構１０６から外れると、図２（Ｄ）に示すように、吸気口部品１００に標準装備されている薄い板状のフィルタ１０７を開口１０４から取り外すことができる。
【００２２】
図３は、吸気口用フィルタ１を吸気口部品１００に取り付ける様子を示した図である。吸気口用フィルタ１には、吸気口部品１００に設けられている支柱１０５に対応する部位を切り欠いた切り欠き３が設けられているため、吸気口部品１００に標準装備されているフィルタ１０７より厚いフィルタであるにも関わらず、フィルタ本体２が開口１０４内に嵌るような状態で吸気口部品１００に取り付けることができる。
【００２３】
図４は、吸気口用フィルタ１が吸気口部品１００に取り付けられた状態を示した図である。吸気口用フィルタ１は、フィルタ本体２が開口１０４内に嵌るような状態で吸気口部品１００に取り付けることができるため、吸気口部品１００に標準装備されているフィルタ１０７より厚いフィルタであるにも関わらず、吸気口用フィルタ１がフランジ部１０２から飛び出さない状態で吸気口部品１００に取り付けることができる。このため、蓋１０３を可動機構１０６に取り付けて開口１０４を開閉することも可能であり、吸気口部品１００が取り付けられている壁の審美性を損なうことが無い。
【００２４】
吸気口の内壁面側に取り付けられる吸気口部品１００は、フィルタ１０７が蓋１０３と支柱１０５との間の部分に取り付けられる形態となっている。しかし、薄板状のフィルタ１０７を標準装備として取り付ける前提で設計されている吸気口部品１００において、フィルタ１０７を捕集性能の高い高性能な厚手の吸気口用フィルタ１に取り替えても、吸気口用フィルタ１が蓋１０３や支柱１０５に干渉しない。よって、建物の内壁面に固定されている吸気口部品１００を取り換える工事を伴うことなく、建物の吸気口に設けられているフィルタを厚手のものに取り替えることができる。
【００２５】
ところで、吸気口用フィルタ１は、例えば、以下のように変形してもよい。
【００２６】
図５は、吸気口用フィルタ１の変形例を示した図である。吸気口用フィルタ１を構成する４つのフィルタ本体２は、例えば、図５に示されるように、薄い円板状で通気性を有する保持部材４に固定されていてもよい。各フィルタ本体２を保持部材４に固定した吸気口用フィルタ１であれば、４つのフィルタ本体２を一つずつ開口１０４へ嵌めるのではなく、４つのフィルタ本体２を一度に開口１０４へ嵌めることができるため、吸気口部品１００への取付作業を簡単に行うことができる。
【００２７】
また、切り欠き３は、開口１０４の内面から開口１０４の中心部の可動機構１０６へ向かって突出形成されている支柱１０５に対応する部位を切り欠くものであったが、例えば、板状の支柱１０５に代えて棒状の支柱に対応する部位を切り欠くものであってもよいし、或いは、支柱以外の突起物等に対応する部位を切り欠くものであってもよい。
【００２８】
また、吸気口用フィルタ１は、円柱状の外形を有していたが、例えば、吸気口の開口が矩形であるような場合には、当該矩形の開口に合った外形を有していてもよい。
【００２９】
また、吸気口用フィルタ１は、切り欠き３によって４つに分割された形態となっていたが、例えば、３つ以下に分割された形態であってもよいし、或いは、５つ以上に分割された形態であってもよい。また、吸気口用フィルタ１は、切り欠き３によって分割されない形態、すなわち、溝状あるいは窪み状の切り欠きが設けられた形態であってもよい。
【００３０】
また、吸気口用フィルタ１は、ハニカム構造のものに限定されるものでなく、例えば、連続気孔を有するスポンジ等の多孔体であってもよい。
【００３１】
上記実施形態の吸気口用フィルタ１は、例えば、以下のようにして製造することができる。
【００３２】
図６は、吸気口用フィルタ１の製造方法の一例を示した図である。吸気口用フィルタ１は、例えば、通気性の不織布の一部を波型に加工してフルート構造となるように接着することで形成することができる。すなわち、吸気口用フィルタ１の製造に際しては、図６（Ａ）に示されるように、通気性を有する帯状の不織布１０であって、長手方向に向かって一方の片側に平坦領域１１、他方の片側に波型領域１２を形成した不織布１０を用意し、この不織布１０を、平坦領域１１と波型領域１２との境界部分の折り目１３に沿って折り返す。不織布１０を折り目１３に沿って折り返すことにより、図６（Ｂ）に示されるように、片面に波型が露出する片面ダンボールのようなフルート構造体１４が帯状に形成される。このフルート構造体１４を、図６（Ｃ）に示されるように、巻き芯１５に適当な周回数で接着しながら巻き付ける。フルート構造体１４を巻き芯１５に巻き付けることにより、図６（Ｄ）に示されるように、円柱状の外形において円形の端面に相当する部位にハニカム構造特有の多孔部分が露出する形態のフィルタが形成される。そして、接着剤が硬化した後、このフィルタが装着される吸気口部品１００に設けられている支柱１０５に対応する部位を切り欠くことで、図６（Ｅ）に示されるように、円形の端面を均等に４分割したような、端面が扇形のフィルタ片１６が切り出される。この状態では切り欠いた部分に気流の抜け道が出来るため、図６（Ｆ）に示されるように、切り欠いた部分の面を包囲する目的でフィルタ片１６に通気性の無い包囲シート１７が巻き付けられる。
【００３３】
吸気口用フィルタ１は、このような方法で製造することが可能である。しかし、吸気口用フィルタ１は、このような方法で製造されるものに限定されるものでなく、例えば、他の方法で製造されるものであってもよい。
【符号の説明】
【００３４】
１・・吸気口用フィルタ
２・・フィルタ本体
３・・切り欠き
４・・保持部材
１０・・不織布
１１・・平坦領域
１２・・波型領域
１３・・折り目
１４・・フルート構造体
１５・・巻き芯
１６・・フィルタ片
１７・・包囲シート
１００・吸気口部品
１０１・・筒状部
１０２・・フランジ部
１０３・・蓋
１０４・・開口
１０５・・支柱
１０６・・可動機構
１０７・・フィルタ
【図１】
2020044490.tif 000003
【図２】
2020044490.tif 000004
【図３】
2020044490.tif 000005
【図４】
2020044490.tif 000006
【図５】
2020044490.tif 000007
【図６】
2020044490.tif 000008
【国際調査報告】
2020044490.tif 000009
2020044490.tif 000010
2020044490.tif 000011
2020044490.tif 000012